(57)【要約】【課題】出入口扉の鍵等の保管場所の確保および管理の負担を軽減するとともに、シリンダ錠のメンテナンス作業や錠前装置を交換する際の出入口扉の加工作業を不要にする。【解決手段】出入口扉を施錠状態または解錠可能状態にするデッドロッキングラッチボルト１０と、Ｒ４方向の操作力を受付けるハンドル部７０と、Ｒ４方向の操作力をハンドル部７０からデッドロッキングラッチボルト１０に伝達可能な伝達部と、Ｒ１方向の操作力を受付けて伝達部によるＲ４方向の操作力の伝達を可能にし、Ｒ１方向と逆方向の操作力を受付けて伝達部によるＲ４方向の操作力の伝達を不能にする手動操作部３０と、手動操作部３０と連動せずに通電により伝達部によるＲ４方向の操作力の伝達を可能にし、非通電により伝達部によるＲ４方向の操作力の伝達を不能にするソレノイド９０とを備えた。【選択図】        図２
2008150866.tif 000002
【特許請求の範囲】
【請求項１】
出入口扉に設置され、利用者の操作に応じて前記出入口扉を解錠不可能な状態である施錠状態、または解錠可能な状態である解錠可能状態にする錠前装置において、
前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部と、
利用者から前記解錠可能状態の前記出入口扉を開けるための第１操作力を受付け、前記第１操作力を前記施解錠部に伝達することで前記施解錠部を移動させる開閉操作部と、
前記第１操作力を前記開閉操作部から前記施解錠部に伝達可能な伝達部と、
前記施錠状態の前記出入口扉を前記解錠可能状態にするための第２操作力を利用者から受付け、受付けた前記第２操作力によって前記伝達部による前記開閉操作部から前記施解錠部への前記第１操作力の伝達を可能にし、前記解錠可能状態の前記出入口扉を前記施錠状態にするための第３操作力を利用者から受付け、受付けた前記第３操作力によって前記伝達部による前記開閉操作部から前記施解錠部への前記第１操作力の伝達を不能にする機械的施解錠部と、
通電によって、前記機械的施解錠部と連動せずに、前記伝達部による前記開閉操作部から前記施解錠部への前記第１操作力の伝達を可能にし、非通電によって前記機械的施解錠部と連動せずに、前記伝達部による前記開閉操作部から前記施解錠部への前記第１操作力の伝達を不能にする電気的施解錠部と、
を備えることを特徴とする錠前装置。
【請求項２】
前記機械的施解錠部は、
前記第２操作力によって第１方向に回動し、前記第３操作力によって第２方向に回動する施解錠操作部を、備え、
前記伝達部は、
前記施解錠操作部の前記第１方向の回動によって押圧されることで第３方向へ移動し、前記施解錠操作部の前記第２方向の回動によって押圧されることで第３方向と逆方向である第４方向へ移動し、前記電気的施解錠部への通電および非通電によって移動しない可動部材を備えること、
を特徴とする請求項１に記載の錠前装置。
【請求項３】
前記伝達部は、
前記施解錠部に係合して前記第１操作力を前記施解錠部に伝達することで前記施解錠部を移動させ、前記施解錠部との係合を解除して前記第１操作力の前記施解錠部への伝達を不能にすることで前記施解錠部を移動不能にする係合部材を備えること、
を特徴とする請求項２に記載の錠前装置。
【請求項４】
前記伝達部は、
前記可動部材に連結されており、前記可動部材の前記第３方向への移動により押圧されることで、前記施解錠部の内部方向に移動して前記係合部材への押圧を解除し、前記可動部材の前記第４方向への移動により押圧を解除されることで、前記施解錠部の外部方向に移動して前記係合部材を押圧する押圧部材を備えること、
を特徴とする請求項３に記載の錠前装置。
【請求項５】
前記係合部材は、さらに、前記押圧部材からの押圧が解除されることで前記施解錠部に係合し、前記押圧部材から押圧されることで前記施解錠部との係合を解除すること、
を特徴とする請求項４に記載の錠前装置。
【請求項６】
前記電気的施解錠部は、
稼働可能な鉄心を有するソレノイドを備え、
前記押圧部材は、さらに、前記鉄心に連結されており、前記施解錠操作部の回動には連動せずに、前記ソレノイドへの通電に連動して前記押圧部材が前記施解錠部の内部方向へ移動することで前記係合部材への押圧を解除し、前記ソレノイドへの非通電に連動して前記押圧部材が前記施解錠部の外部方向へ移動することで前記係合部材を押圧すること、
を特徴とする請求項５に記載の錠前装置。
【請求項７】
前記押圧部材は、前記可動部材側の端部に突出した突起部を備え、
前記突起部は、前記可動部材の前記第３方向への移動により押圧されることで、前記施解錠部の内部方向に移動して前記係合部材への押圧を解除し、前記可動部材の前記第４方向への移動により押圧を解除されることで、前記施解錠部の外部方向に移動して前記係合部材を押圧すること、
を特徴とする請求項６に記載の錠前装置。
【請求項８】
前記可動部材は、孔部を備え、
前記押圧部材は、施錠時に前記孔部の前記施解錠操作部側の内壁面と対向する側の内壁面に当接し、かつ前記ソレノイドへの通電および非通電に連動して前記孔部内を移動可能な第２の突起部が形成されていること、
を特徴とする請求項７に記載の錠前装置。
【請求項９】
前記係合部材を、前記施解錠部側の方向に付勢する弾性部材をさらに備え、
前記係合部材は、前記押圧部材からの押圧が解除された場合、前記弾性部材からの付勢力によって前記施解錠部に係合し、
前記押圧部材は、前記弾性部材の前記可動部材側の方向への付勢力に対抗して、前記係合部材を押圧し、前記係合部材と前記施解錠部との係合を解除すること、
を特徴とする請求項８に記載の錠前装置。
【請求項１０】
前記押圧部材を、前記施解錠部の外部方向に付勢する第２の弾性部材、をさらに備え、
前記可動部材は、前記押圧部材を、前記第２の弾性部材からの付勢力に対抗して前記施解錠部の内部方向に移動させること、
を特徴とする請求項９に記載の錠前装置。
【請求項１１】
前記出入口扉付近に設けられ、利用者に固有の利用者識別情報の入力を受付ける操作部と、
前記ソレノイドに対する通電を制御し、前記操作部によって受付けた前記利用者識別情報が、予め定められた前記利用者識別情報か否かを照合することにより利用者認証を行い、前記利用者認証が成功した場合、前記ソレノイドを通電する制御部と、をさらに備えたこと、
を特徴とする請求項１０に記載の錠前装置。
【請求項１２】
前記制御部に対して独立して電力供給が可能な外部給電部を、さらに備え、
前記制御部は、前記利用者認証が成功した場合、前記外部給電部からの電力供給によって、前記ソレノイドを通電すること、
を特徴とする請求項１１に記載の錠前装置。
【請求項１３】
前記錠前装置は、前記出入口扉が設置された監視領域における異常事態の発生の有無を監視する警備装置と接続され、
前記出入口扉付近に設けられ、前記警備装置によって前記監視領域の異常が検知された場合に異常検知情報を通報する警備状態、または前記警備装置によって前記監視領域の異常が検知された場合に前記異常検知情報を通報しない警備解除状態の設定を受付ける警備モード操作部と、
前記警備モード操作部の内部に設けられ、前記ソレノイドに対する通電を制御し、前記警備モード操作部により前記警備状態から前記警備解除状態の設定を受付けた場合、前記ソレノイドを通電する制御部と、をさらに備えたこと、
を特徴とする請求項１０に記載の錠前装置。
【請求項１４】
前記警備モード操作部における前記制御部に対して独立して電力供給が可能な外部給電部を、さらに備え、
前記制御部は、前記利用者認証が成功し、前記警備モード操作部により前記警備状態から前記警備解除状態の設定を受付けた場合、前記外部給電部からの電力供給によって、前記ソレノイドを通電すること、
を特徴とする請求項１３に記載の錠前装置。
【請求項１５】
前記施解錠部は、前記出入口扉の本締まり施錠と、前記出入口扉の空締まり施錠が可能なデッドロッキングラッチボルトを含むこと、
を特徴とする請求項１〜１４のいずれか一つに記載の錠前装置。
【請求項１６】
前記施解錠操作部は、利用者により操作されたシリンダまたはサムターンに連動して回動し、前記可動部材を押圧するサムターンハブを含むこと、
を特徴とする請求項２〜１５のいずれか一つに記載の錠前装置。
【請求項１７】
利用者の操作に応じて前記出入口扉を解錠不可能な状態である施錠状態、または解錠可能な状態である解錠可能状態にする施解錠方法において、
利用者から前記解錠可能状態の前記出入口扉を開けるための第１操作力を受付け、前記第１操作力を、前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部に伝達することで前記施解錠部を移動させる開閉操作工程と、
前記開閉操作工程によって、前記第１操作力を前記施解錠部に伝達する伝達工程と、
前記施錠状態の前記出入口扉を前記解錠可能状態にするための第２操作力を利用者から受付け、受付けた前記第２操作力によって前記伝達工程による前記施解錠部への前記第１操作力の伝達を可能にし、前記解錠可能状態の前記出入口扉を前記施錠状態にするための第３操作力を利用者から受付け、受付けた前記第３操作力によって前記伝達工程による前記施解錠部への前記第１操作力の伝達を不能にする機械的施解錠工程と、
電気的施解錠部に対する通電によって、前記機械的施解錠工程と連動せずに、前記伝達工程による前記施解錠部への前記第１操作力の伝達を可能にし、電気的施解錠部に対する非通電によって前記機械的施解錠工程と連動せずに、前記伝達工程による前記施解錠部への前記第１操作力の伝達を不能にする電気的施解錠工程と、
を含むことを特徴とする施解錠方法。
【発明の詳細な説明】
【技術分野】
【０００１】
本発明は、出入口扉を施解錠する錠前装置および施解錠方法に関するものであり、特に、出入口扉の設置された監視領域において異常が発生した場合に、鍵を所持しない正当な利用者（警備員等）によって、出入口扉の解錠が可能な錠前装置および施解錠方法に関する。
【背景技術】
【０００２】
従来、一般的な警備システムでは、契約者から警備対象先である建造物の鍵を事前に受領し、当該建造物（監視領域）に異常が発生した場合には、事前に受領していた鍵を用いて警備員が館内に入り、監視領域における異常原因の追究、および適切な処置を行うことで警備サービスを提供している。
【０００３】
しかし、上記のような警備システムでは、警備対象先の契約者より鍵を事前に受領することにより警備サービスを提供するため、事前に受領した鍵の保管場所の確保、または管理の負担が増大するという問題があった。
【０００４】
そこで、事前に鍵を受領しなくとも、異常が発生した監視領域の出入口扉を施解錠できる錠前装置が公開されている（例えば、特許文献１参照）。この錠前装置は、シリンダ錠の外側に、シリンダの回動を電気的に規制するロック機構を持つ外部ケースを設け、外部ケースの中でシリンダ錠の部分が回転可能な構成にしている。通常はロック機構によりシリンダ錠の部分をロックしておき、通常のシリンダ錠と同様に利用し、監視領域に異常等が発生して警備員が施解錠する場合は、携帯端末から解除信号を送信してロック機構を解除し、簡易な鍵を用いてシリンダ錠ごと回転させて施解錠する。
【０００５】
【特許文献１】特開２００４−２１１４０５号公報
【発明の開示】
【発明が解決しようとする課題】
【０００６】
しかしながら、特許文献１の錠前装置では、契約先の鍵は不要となるが、別途簡易な鍵が必要となる。また、鍵穴とは、Ｖ字型の形状や内部に凹凸を有する形状など様々な種類の形状のものがあるため、全てのシリンダ錠の鍵穴に対応し得る一つの簡易な鍵の共通化を図ることは難しく、結果として複数の簡易な鍵を用意し管理しなければならなかった。さらに、特許文献１の錠前装置では、新しいシリンダ錠に交換するたびに電気錠を取り付ける加工を行ったり、新しいシリンダ錠の鍵穴の形状に対応する簡易な鍵の作成を必要とする場合があり、シリンダ錠の交換の際の作業に手間が掛かっていた。
【０００７】
また、鍵を利用して施解錠を行う機械的施解錠部と通電による施解錠を行う電気的施解錠部とを両方兼ね備えた錠前装置を設置して、監視領域に異常が発生した場合、警備員等は電気的施解錠部により出入口扉の施解錠を行えば、事前に鍵を受領する必要がなくなると考えられる。
【０００８】
しかし、従来の機械的施解錠部と電気的施解錠部とを備えた錠前装置は、機械的に施解錠を行う機械的施解錠部と同じ動作を電気的施解錠部で行わせているため、通電による施解錠を行うという電気的施解錠部の構成の他に、電気的な施解錠を機械的な施解錠と同様に動作させるための特別な機構が必要となってしまい、機械的施解錠部のみからなる錠前装置と比較して過大になる。このため、このような錠前装置を、既存の機械的施解錠部に代えて出入口扉に設置する場合は、新たに出入口扉の加工等を必要とする場合があり、錠前装置の交換の際の作業が煩雑となるという問題があった。
【０００９】
本発明は、上記に鑑みてなされたものであって、事前の出入口扉の鍵の受領をしなくても操作部を操作することのみで出入口扉の施解錠を行うことができ、契約先の鍵等の保管場所の確保および管理の負担を軽減するとともに、シリンダ錠のメンテナンス作業や錠前装置を交換する際の出入口扉の加工作業が不要な錠前装置および施解錠方法を得ることを目的とする。
【課題を解決するための手段】
【００１０】
上述した課題を解決し、目的を達成するために、請求項１にかかる発明は、出入口扉に設置され、利用者の操作に応じて前記出入口扉を解錠不可能な状態である施錠状態、または解錠可能な状態である解錠可能状態にする錠前装置において、前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部と、利用者から前記解錠可能状態の前記出入口扉を開けるための第１操作力を受付け、前記第１操作力を前記施解錠部に伝達することで前記施解錠部を移動させる開閉操作部と、前記第１操作力を前記開閉操作部から前記施解錠部に伝達可能な伝達部と、前記施錠状態の前記出入口扉を前記解錠可能状態にするための第２操作力を利用者から受付け、受付けた前記第２操作力によって前記伝達部による前記開閉操作部から前記施解錠部への前記第１操作力の伝達を可能にし、前記解錠可能状態の前記出入口扉を前記施錠状態にするための第３操作力を利用者から受付け、受付けた前記第３操作力によって前記伝達部による前記開閉操作部から前記施解錠部への前記第１操作力の伝達を不能にする機械的施解錠部と、通電によって、前記機械的施解錠部と連動せずに、前記伝達部による前記開閉操作部から前記施解錠部への前記第１操作力の伝達を可能にし、非通電によって前記機械的施解錠部と連動せずに、前記伝達部による前記開閉操作部から前記施解錠部への前記第１操作力の伝達を不能にする電気的施解錠部と、を備えることを特徴とする錠前装置である。
【００１１】
また、請求項２にかかる発明は、請求項１に記載の錠前装置において、前記機械的施解錠部は、前記第２操作力によって第１方向に回動し、前記第３操作力によって第２方向に回動する施解錠操作部を、備え、前記伝達部は、前記施解錠操作部の前記第１方向の回動によって押圧されることで第３方向へ移動し、前記施解錠操作部の前記第２方向の回動によって押圧されることで第３方向と逆方向である第４方向へ移動し、前記電気的施解錠部への通電および非通電によって移動しない可動部材を備えること、を特徴とする。
【００１２】
また、請求項３にかかる発明は、請求項２に記載の錠前装置において、前記伝達部は、前記施解錠部に係合して前記第１操作力を前記施解錠部に伝達することで前記施解錠部を移動させ、前記施解錠部との係合を解除して前記第１操作力の前記施解錠部への伝達を不能にすることで前記施解錠部を移動不能にする係合部材を備えること、を特徴とする。
【００１３】
また、請求項４にかかる発明は、請求項３に記載の錠前装置において、前記伝達部は、前記可動部材に連結されており、前記可動部材の前記第３方向への移動により押圧されることで、前記施解錠部の内部方向に移動して前記係合部材への押圧を解除し、前記可動部材の前記第４方向への移動により押圧を解除されることで、前記施解錠部の外部方向に移動して前記係合部材を押圧する押圧部材を備えること、を特徴とする。
【００１４】
また、請求項５にかかる発明は、請求項４に記載の錠前装置において、前記係合部材は、さらに、前記押圧部材からの押圧が解除されることで前記施解錠部に係合し、前記押圧部材から押圧されることで前記施解錠部との係合を解除すること、を特徴とする。
【００１５】
また、請求項６にかかる発明は、請求項５に記載の錠前装置において、前記電気的施解錠部は、稼働可能な鉄心を有するソレノイドを備え、前記押圧部材は、さらに、前記鉄心に連結されており、前記施解錠操作部の回動には連動せずに、前記ソレノイドへの通電に連動して前記押圧部材が前記施解錠部の内部方向へ移動することで前記係合部材への押圧を解除し、前記ソレノイドへの非通電に連動して前記押圧部材が前記施解錠部の外部方向へ移動することで前記係合部材を押圧すること、を特徴とする。
【００１６】
また、請求項７にかかる発明は、請求項６に記載の錠前装置において、前記押圧部材は、前記可動部材側の端部に突出した突起部を備え、前記突起部は、前記可動部材の前記第３方向への移動により押圧されることで、前記施解錠部の内部方向に移動して前記係合部材への押圧を解除し、前記可動部材の前記第４方向への移動により押圧を解除されることで、前記施解錠部の外部方向に移動して前記係合部材を押圧すること、を特徴とする。
【００１７】
また、請求項８にかかる発明は、請求項７に記載の錠前装置において、前記可動部材は、孔部を備え、前記押圧部材は、施錠時に前記孔部の前記施解錠操作部側の内壁面と対向する側の内壁面に当接し、かつ前記ソレノイドへの通電および非通電に連動して前記孔部内を移動可能な第２の突起部が形成されていること、を特徴とする。
【００１８】
また、請求項９にかかる発明は、請求項８に記載の錠前装置において、前記係合部材を、前記施解錠部側の方向に付勢する弾性部材をさらに備え、前記係合部材は、前記押圧部材からの押圧が解除された場合、前記弾性部材からの付勢力によって前記施解錠部に係合し、前記押圧部材は、前記弾性部材の前記可動部材側の方向への付勢力に対抗して、前記係合部材を押圧し、前記係合部材と前記施解錠部との係合を解除すること、を特徴とする。
【００１９】
また、請求項１０にかかる発明は、請求項９に記載の錠前装置において、前記押圧部材を、前記施解錠部の外部方向に付勢する第２の弾性部材、をさらに備え、前記可動部材は、前記押圧部材を、前記第２の弾性部材からの付勢力に対抗して前記施解錠部の内部方向に移動させること、を特徴とする。
【００２０】
また、請求項１１にかかる発明は、請求項１０に記載の錠前装置において、前記出入口扉付近に設けられ、利用者に固有の利用者識別情報の入力を受付ける操作部と、前記ソレノイドに対する通電を制御し、前記操作部によって受付けた前記利用者識別情報が、予め定められた前記利用者識別情報か否かを照合することにより利用者認証を行い、前記利用者認証が成功した場合、前記ソレノイドを通電する制御部と、をさらに備えたこと、を特徴とする。
【００２１】
また、請求項１２にかかる発明は、請求項１１に記載の錠前装置において、前記制御部に対して独立して電力供給が可能な外部給電部を、さらに備え、前記制御部は、前記利用者認証が成功した場合、前記外部給電部からの電力供給によって、前記ソレノイドを通電すること、を特徴とする。
【００２２】
また、請求項１３にかかる発明は、請求項１０に記載の錠前装置において、前記錠前装置は、前記出入口扉が設置された監視領域における異常事態の発生の有無を監視する警備装置と接続され、前記出入口扉付近に設けられ、前記警備装置によって前記監視領域の異常が検知された場合に異常検知情報を通報する警備状態、または前記警備装置によって前記監視領域の異常が検知された場合に前記異常検知情報を通報しない警備解除状態の設定を受付ける警備モード操作部と、前記警備モード操作部の内部に設けられ、前記ソレノイドに対する通電を制御し、前記警備モード操作部により前記警備状態から前記警備解除状態の設定を受付けた場合、前記ソレノイドを通電する制御部と、をさらに備えたこと、を特徴とする。
【００２３】
また、請求項１４にかかる発明は、請求項１３に記載の錠前装置において、前記警備モード操作部における前記制御部に対して独立して電力供給が可能な外部給電部を、さらに備え、前記制御部は、前記利用者認証が成功し、前記警備モード操作部により前記警備状態から前記警備解除状態の設定を受付けた場合、前記外部給電部からの電力供給によって、前記ソレノイドを通電すること、を特徴とする。
【００２４】
また、請求項１５にかかる発明は、請求項１〜１４のいずれか一つに記載の錠前装置において、前記施解錠部は、前記出入口扉の本締まり施錠と、前記出入口扉の空締まり施錠が可能なデッドロッキングラッチボルトを含むこと、を特徴とする。
【００２５】
また、請求項１６にかかる発明は、請求項２〜１５のいずれか一つに記載の錠前装置において、前記施解錠操作部は、利用者により操作されたシリンダまたはサムターンに連動して回動し、前記可動部材を押圧するサムターンハブを含むこと、を特徴とする。
【００２６】
また、請求項１７にかかる発明は、利用者の操作に応じて前記出入口扉を解錠不可能な状態である施錠状態、または解錠可能な状態である解錠可能状態にする施解錠方法において、利用者から前記解錠可能状態の前記出入口扉を開けるための第１操作力を受付け、前記第１操作力を、前記出入口扉の開口部に挿入した状態で保持されることによって前記出入口扉を前記施錠状態にし、前記出入口扉の前記開口部に対して移動可能な状態にされることによって前記出入口扉を前記解錠可能状態にする施解錠部に伝達することで前記施解錠部を移動させる開閉操作工程と、前記開閉操作工程によって、前記第１操作力を前記施解錠部に伝達する伝達工程と、前記施錠状態の前記出入口扉を前記解錠可能状態にするための第２操作力を利用者から受付け、受付けた前記第２操作力によって前記伝達工程による前記施解錠部への前記第１操作力の伝達を可能にし、前記解錠可能状態の前記出入口扉を前記施錠状態にするための第３操作力を利用者から受付け、受付けた前記第３操作力によって前記伝達工程による前記施解錠部への前記第１操作力の伝達を不能にする機械的施解錠工程と、電気的施解錠部に対する通電によって、前記機械的施解錠工程と連動せずに、前記伝達工程による前記施解錠部への前記第１操作力の伝達を可能にし、電気的施解錠部に対する非通電によって前記機械的施解錠工程と連動せずに、前記伝達工程による前記施解錠部への前記第１操作力の伝達を不能にする電気的施解錠工程と、を含むことを特徴とする施解錠方法である。
【発明の効果】
【００２７】
本発明によれば、機械的施解錠部と連動しない電気的施解錠部を備えたことで、利用者は、事前の出入口扉の鍵の受領をしなくても操作部を操作することのみで出入口扉の施解錠を行うことができ、出入口扉の鍵等の保管場所の確保および管理の負担を軽減するとともに、シリンダ錠のメンテナンス作業や錠前装置を交換する際の出入口扉の加工作業が不要となるという効果を奏する。
【００２８】
また、本発明によれば、外部給電部によって制御部に対して独立して電力供給が可能となるため、例えば、停電時などであっても、制御部に電力を供給することができ、出入口扉の施解錠を行うことができるという効果を奏する。
【００２９】
また、本発明によれば、警備モード操作部により警備解除状態の設定を受付けた場合に出入口扉の解錠を行うことができるため、誤った異常検知情報が通報されることがないという効果を奏する。
【００３０】
また、本発明によれば、施解錠部は、出入口扉を施錠状態（本締まり施錠状態）と解錠可能状態（空締まり施錠状態）にすることが可能なデッドロッキングラッチボルトを含んでいるため、施錠状態と解錠可能状態とを別個のボルトで行う必要がなく、錠前装置の構成を簡潔にできるという効果を奏する。
【００３１】
また、本発明によれば、施解錠操作部は、利用者により操作されたシリンダまたはサムターンに連動して回動し、可動部材を押圧するサムターンハブを含んでいるため、操作部からの操作による電力を使用した電気的な施解錠とは関係なく、サムターンハブによる操作によって機械的な出入口扉の施解錠を行うことができるという効果を奏する。
【発明を実施するための最良の形態】
【００３２】
以下に添付図面を参照して、この発明にかかる錠前装置および施解錠方法の最良な実施の形態を詳細に説明する。
【００３３】
（第１の実施の形態）
本実施の形態にかかる錠前装置は、警備装置が設置されている建造物等の監視領域に異常が発生した場合に、駆けつけた警備員等がその監視領域に設置された出入口扉を解錠する鍵等を所持していなくても、出入口扉を解錠できるものであって、鍵等を利用して施解錠を行う機械的施解錠部（機械錠）と通電による施解錠を行う電気的施解錠部（電気錠）とを両方兼ね備えた錠前装置である。
【００３４】
従来の機械錠と電気錠とを備えた錠前装置では、電気錠は通常、許可された利用者以外の者の監視領域への入館（入室）を制限する役割を果たすものであり、常時施錠状態で使用されなければならない。つまり、ＩＣ（Integrated Circuit）カード、非接触カード、生体認証などにより事前に登録された入室許可者のデータとの照合が成功した場合のみ電気錠は解錠となり、出入口扉が一旦解放され閉鎖された後は、次に入館しようとする者の監視領域への入館許可の可否を判断できるように、再度施錠状態に復帰する。従って、機械的な解錠、電気的な解錠の双方とも、常時施錠状態に復帰する機能を構造的に備える必要がある。
【００３５】
しかしながら、本実施の形態の錠前装置は、異常が発生した監視領域に警備員が入館する場合に電気錠を利用することを前提としている。すなわち、本実施の形態の錠前装置は、監視領域には警備装置が設置されており、警備装置の契約者（監視領域の利用者）の不在時に監視領域に何らかの異常等が発生した場合、警備員は事前に金属鍵を受領していなくとも出入口扉を解錠して監視領域への入館が可能となるものである。また、その契約者が行う錠前装置の施解錠は、電気錠を備えていない機械錠の錠前装置と同様に、金属鍵による施解錠操作時のみに施解錠が連動して行われることになる。故に、契約者としては一般的な機械錠のみの錠前装置と何ら変わりは無く、通常時において常時施錠状態である必要はない。これは、例えば、一般家庭等において電気錠を利用すると、家（監視領域）の中から庭やゴミ捨て場等の住居周辺に出た後に再度家の中に入る場合、毎回電気的な照合を行ってから解錠することが必要となり煩雑な操作となってしまうからである。従って、本実施の形態の錠前装置は、機械的な解錠を行った際に、出入口扉が一旦開放され閉鎖された後においても施錠状態に復帰する必要性がない。
【００３６】
図１は、第１の実施の形態にかかる錠前装置の構成を示す説明図である。図１に示すように、本実施の形態にかかる錠前装置１００は、出入口扉に設置されたフロント１および錠前機構２と、警備装置５００と、操作部５０１とから主に構成されており、錠前機構２の内部は、制御部５１０と、外部給電部５２０とを主に備えている。なお、フロント１と錠前機構２の詳細は図２において説明する。
【００３７】
警備装置５００は、出入口扉が設置されている監視領域を監視（警備）するものであり、監視領域において異常が発生した場合は、通報先である監視センタへ異常を検知した旨の異常検知情報の通報をするものである。そして、監視センタは、監視領域の警備装置から異常検知情報の通報を受信すると、待機中の警備員に対して異常が検知された監視領域へ向かう旨の指示を出すとともに、必要に応じて警察や消防など関係機関への通報を行うことになる。なお、本実施の形態では、錠前装置１００は警備装置と有線で接続されているが、無線通信により接続された構成としてもよい。
【００３８】
操作部５０１は、出入口扉付近の監視領域外に設置され、警備員等の利用者に固有の利用者ＩＤ（利用者識別情報）の入力を受付けるものであり、例えばテンキーや、接触式または非接触式のカードリーダ、タッチパネル、指紋や虹彩や静脈等の生体情報読取装置等、利用者が特定されるものであればよい。操作部５０１は、監視領域の利用者が日常使用するものではなく、監視領域の利用者の不在時に、監視領域に異常が発生した場合に駆けつけた警備員や、監視領域の点検に訪れた警備員が、鍵等を利用せずに錠前装置１００の施解錠を行うための操作に用いられる。
【００３９】
制御部５１０は、ソレノイド９０（後述）に対する通電を制御するものである。すなわち、制御部５１０は、操作部５０１によって受付けた利用者ＩＤが、記憶部（不図示）等に予め定められた利用者ＩＤか否かを照合することによって利用者認証を行い、その利用者認証が成功した場合に、ソレノイド９０を通電し、予め定められた所定の時間が経過したらソレノイド９０を非通電にするものである。また、通常時は、監視領域等に供給される電力等を操作部５０１やソレノイド９０等に供給するが、例えば、停電時等により電力が供給できない場合には、制御部５１０は、外部給電部５２０によって供給された電力を操作部５０１に供給し、操作部５０１から受付けた利用者ＩＤの利用者認証が成功した場合、外部給電部５２０によって供給された電力をソレノイド９０に供給して通電する。
【００４０】
外部給電部５２０は、制御部５１０に対して独立して電力を供給するものであり、例えば、電池等が該当する。停電時等により制御部５１０に汎用の電源からの電力供給をうけられない場合には、制御部５１０には外部給電部５２０からの電力が供給され、これにより停電時にもソレノイド９０に対する通電および非通電の制御が可能となる。
【００４１】
次に、フロント１と錠前機構２の詳細について説明する。図２は、第１の実施の形態にかかる錠前装置の詳細を示す説明図である。図２に示すように、本実施の形態にかかる錠前装置１００は、フロント１と錠前機構２とにより構成されており、錠前機構２は、デッドロッキングラッチボルト１０と、手動操作部３０と、スライダー４０と、ロッキングレバー５０と、コネクティングレバー６０と、ハンドル部７０と、ラッチホールド８０と、トリガーヘッド８５と、ソレノイド９０とを主に備えている。本実施の形態にかかる錠前装置１００においては、手動操作部３０を利用者からの操作力により機械的に施解錠を行う機械的施解錠部とし、ソレノイド９０を通電・非通電により電気的に施解錠を行う電気的施解錠部として説明する。
【００４２】
フロント１は、デッドロッキングラッチボルト１０とトリガーヘッド８５が出入する開口部（不図示）を有し、錠前機構２の側面を覆う板状の金属板である。また、フロント１の上部と下部には、錠前機構２を出入口扉に固定するためのねじ穴（不図示）が設けられている。錠前装置１００を出入口扉に設置した場合は、錠前機構２が出入口扉に埋め込まれ、フロント１が出入口扉の側面に見える状態となる。
【００４３】
デッドロッキングラッチボルト１０は、先端部１２と、軸部１１と、ストッパー１３とによって主に構成されており、出入口扉の本締まり施錠状態にするデッドボルトの機能と、出入口扉の空締まり施錠状態にするラッチボルトの機能を兼ねており、上記両施錠が可能なボルトである。ここで、本締まり施錠状態とは、出入口扉に設けられたレバーハンドルやドアノブ等を操作しても出入口扉を開けることができない状態であり、フロント１の開口部を通過して出入口の壁面にデッドロッキングラッチボルト１０の先端が挿入され、かつデッドロッキングラッチボルト１０が移動不能となった状態である。また、空締まり施錠状態とは、出入口扉が風圧等で開かないように仮締まりを行うことであり、デッドロッキングラッチボルト１０が移動可能で、フロント１を通過して出入口の壁面からデッドロッキングラッチボルト１０の先端が抜き出し可能であって、出入口扉に設けられたレバーハンドルやドアノブ等を操作すると、ハンドル部７０（後述）を介して受けた利用者からの操作力（第１操作力）によってデッドロッキングラッチボルト１０が出入口の壁面からフロント１を通過してから抜き出され、出入口扉を開けることができる状態である。なお、図２の錠前機構２は、本締まり施錠状態となっている。
【００４４】
デッドロッキングラッチボルト１０の軸部１１は、内部が空洞となっており、上部と下部とが開放された金属性材料で形成されている。また、軸部１１の一方の端面には、先端部１２が接続されており、この先端部１２は、施錠が行われるとフロント１の開口部（不図示）に挿入される部分で、先端が略三角柱形状の金属性材料で形成されている。また、軸部１１の他方の端面には、円柱形状の鉄心１４が軸部１１に対して移動可能に接続されている。鉄心１４は、軸部１１と接続されている端面と反対側の端面が錠前機構２の枠部に固定されており、デッドロッキングラッチボルト１０がＢ方向に移動した場合、軸部１１の内部に挿入されるものである。また、鉄心１４の周囲にはバネ１５が設けられており、デッドロッキングラッチボルト１０は、バネ１５により通常Ｂ方向と逆方向に付勢されている。
【００４５】
また、軸部１１と先端部１２との間にあるストッパー１３は、バネ１５により付勢されてＢ方向と逆方向に移動するデッドロッキングラッチボルト１０を、ラッチホールド８０の係止部８３（後述）に当接することでデッドロッキングラッチボルト１０を係止してその移動を止めるものである。これは、出入口扉が開放された状態から閉鎖される場合において、デッドロッキングラッチボルト１０が出入口の壁面に当接することによる押圧力によってデッドロッキングラッチボルト１０が錠前機構２の内部に挿入されるようにするため、先端部１２の先端の略三角柱形状の部分のみフロント１から突出させた状態にするものである。
【００４６】
手動操作部３０は、出入口扉を本締まり施錠状態から空締まり施錠状態、または空締まり施錠状態から本締まり施錠状態にするために、鍵を挿入して回動操作される監視領域の外部側に設けられたシリンダ（不図示）や、つまみ部分を回動操作される監視領域の内部側に設けられたサムターン（不図示）が設けられている。そして、利用者が手動操作部３０であるシリンダまたはサムターンを回動操作すると、そのシリンダまたはサムターンの回動に連動して、手動操作部３０の内部に設けられた突部であるサムターンハブ３１が図２におけるＲ１方向（第１方向）またはＲ１方向と逆方向（第２方向）に回動する。ここで、手動操作部３０からの操作力のうち、サムターンハブ３１をＲ１方向へ回動操作する操作力（第２操作力）は、出入口扉を本締まり施錠状態から空締まり施錠状態にするものであって、サムターンハブ３１をＲ１方向と逆方向へ回動操作する操作力（第３操作力）は、出入口扉を空締まり施錠状態から本締まり施錠状態にするものである。従って、Ｒ１方向（第１方向）は、出入口扉の施錠状態から空締まり施錠状態へのサムターンハブ３１の回動方向となり、Ｒ１方向と逆方向（第２方向）は、出入口扉の空締まり施錠状態から本締まり施錠状態へのサムターンハブ３１の施錠方向への回動方向となる。手動操作部３０は、監視領域の利用者が日常使用するものであって、外出する利用者が外部側のシリンダから錠前装置１００の施解錠を行ったり、帰宅した利用者が内部側のサムターンから錠前装置１００の施解錠を行うための操作に用いられる。つまり、上述した操作部５０１からの操作による施解錠より、手動操作部３０からの操作による施解錠の方が、錠前装置１００において主体的に利用される。
【００４７】
スライダー４０は、手動操作部３０の回動に連動して、図２における上方であるＡ方向（第３方向）、または図２における下方であるＡ方向と逆方向（第４方向）に移動するものであって、利用者からの手動操作部３０からの操作力をデッドロッキングラッチボルト１０に伝達することによって錠前装置１００を空締まり施錠状態または本締まり施錠状態にする。すなわち、Ａ方向（第３方向）は、機械的解錠に伴うスライダー４０の移動方向であり、Ａ方向と逆方向（第４方向）は、機械的施錠に伴うスライダー４０の移動方向となる。図３−１は、スライダーの正面図である。図３−２は、図３−１におけるＶ１側から見たスライダーの側面図である。スライダー４０は、金属性材料で形成されており、図３−１、３−２に示すように略板状で、部位４４および部位４５で略９０度に屈曲した形状となっている。
【００４８】
また、スライダー４０は、図３−１における右側に切欠き部４２が設けられており、この切欠き部４２が手動操作部３０のサムターンハブ３１に当接することにより押圧力を受けてスライダー４０は移動する。具体的には、手動操作部３０のＲ１方向の回動に連動してサムターンハブ３１がＲ１方向に回動すると、サムターンハブ３１が切欠き部４２の傾斜部４２ａに当接して押圧し、スライダー４０は上方に向かって押圧されてＡ方向へ移動する。また、手動操作部３０のＲ１方向と逆方向の回動に連動してサムターンハブ３１がＲ１方向と逆方向に回動すると、サムターンハブ３１が切欠き部４２の傾斜部４２ｂに当接して押圧し、スライダー４０は下方に向かって押圧されてＡ方向と逆方向へ移動する。なお、図２の錠前装置１００では、スライダー４０がＡ方向と逆方向へ移動した状態である。
【００４９】
また、スライダー４０は、図３−１に示すように、下部に孔部４１が設けられ、孔部４１にはロッキングレバー５０の突起部５１が貫通しており、スライダー４０がＡ方向に移動することにより孔部４１の内壁面がロッキングレバー５０の突起部５１に当接して押圧することでロッキングレバー５０を移動させる。また、スライダー４０は、トリガーヘッド８５に固定されているコ字状部材８６（後述）に掛止するフック状の掛止部４３が設けられている。また、スライダー４０は、ソレノイド９０への通電および非通電によって移動することはなく、詳細な説明については後述する。
【００５０】
ロッキングレバー５０は、錠前機構２の枠部に固定された支点５２を軸にしてスライダー４０に連動してＲ２方向または、Ｒ２方向と逆方向に回動する金属性材料で形成されている。ロッキングレバー５０は、スライダー４０を介して受けた利用者からの手動操作部３０からの操作力をデッドロッキングラッチボルト１０に伝達することによって錠前装置１００を空締まり施錠状態または本締まり施錠状態にする。また、支点５２は、スライダー４０と連結される突起部５１と、ソレノイド９０と連結される連結部５３との間に設けられており、ロッキングレバー５０は、その支点５２の軸の周囲に設けられたバネ（不図示）によって通常Ｒ２方向と逆方向に付勢されている。図４−１は、ロッキングレバーの正面図である。図４−２は、図４−１におけるＶ２側から見たロッキングレバーの側面図である。図４−３は、ロッキングレバーの上面図である。図４−４は、ロッキングレバーの底面図である。ロッキングレバー５０は、図４−１で示しているロッキングレバー５０の左側に、上面および両側面に囲まれて下部が開放された空間が形成されている。つまり、図４−２で示す図４−１におけるＶ２側から見たロッキングレバー５０を参照すると、下部が開放されたコの字状の内部に空間が形成されていることになる。
【００５１】
ロッキングレバー５０には、図４−１〜図４−４に示すように、円形の孔部内に円柱部材が差し込まれた突起部５１が形成されており、この突起部５１がスライダー４０の孔部４１を貫通してスライダー４０と連結されている。そして、スライダー４０のＡ方向への移動とともに突起部５１がスライダー４０の孔部４１の内壁面に当接しながらＡ方向に押圧され、その結果、ロッキングレバー５０は、バネによる付勢力に対抗してＲ２方向へ回動する。
【００５２】
また、ロッキングレバー５０は、図４−１〜図４−４に示すように、上部の端部に板状に突出した突起部５４が設けられており、この突起部５４は、ロッキングレバー５０がバネの付勢力によりＲ２方向と逆方向に回動する場合に、コネクティングレバー６０を押圧する。すなわち、スライダー４０がＡ方向と逆方向へ移動することによってスライダー４０から突起部５１への押圧が解除されると、ロッキングレバー５０がバネの付勢力によりＲ２方向と逆方向に回動して、突起部５４は、デッドロッキングラッチボルト１０の外部方向（下方向）に移動してコネクティングレバー６０を押圧する。一方、スライダー４０がＡ方向へ移動することによって突起部５１がＡ方向に押圧されると、ロッキングレバー５０がバネの付勢力に対抗してＲ２方向に回動し、突起部５４は、デッドロッキングラッチボルト１０の内部方向（上方向）に移動してコネクティングレバー６０への押圧を解除する。なお、図２の錠前装置１００では、ロッキングレバー５０がＲ２方向と逆方向に回動して、突起部５４がデッドロッキングラッチボルト１０の外部方向（下方向）へ移動した状態である。
【００５３】
また、ロッキングレバー５０は、図４−１における左側の連結部５３により、下部が開放された空間内にあるソレノイド９０の鉄心９２と連結されている。ソレノイド９０が通電にされて鉄心９２がＤ方向へ移動すると、ロッキングレバー５０は、鉄心９２に連動してＤ方向に引っ張られてＲ２方向に回動して、突起部５４がデッドロッキングラッチボルト１０の内部方向（上方向）に移動してコネクティングレバー６０への押圧を解除する。一方、ソレノイド９０が非通電にされ、ソレノイド９０による鉄心９２のＤ方向への吸引力が解除されると、ロッキングレバー５０の支点５２の軸の周囲に設けられたバネ（不図示）の付勢力により鉄心９２がＤ方向と逆方向へ移動し、ロッキングレバー５０は、Ｒ２方向と逆方向に回動して、突起部５４がデッドロッキングラッチボルト１０の外部方向（下方向）に移動してコネクティングレバー６０を押圧する。
【００５４】
なお、上記のようにソレノイド９０への通電、非通電によりロッキングレバー５０を回動させる場合、スライダー４０と連結されている突起部５１は、孔部４１内を移動するが孔部４１に当接せずスライダー４０は連動しない。つまり、図２、図３−１に示すように、スライダー４０の孔部４１は、突起部５１が移動可能な大きさで形成されているため、ソレノイド９０の鉄心９２に連動してロッキングレバー５０が回動しても突起部５１が孔部４１内を移動するのみでスライダー４０が連動することはない。
【００５５】
コネクティングレバー６０は、ハンドル部７０のハンドル受け部材７１に回動可能に連結されている連結部６１を軸にしてＲ３方向またはＲ３方向と逆方向に回動するものであって、ハンドル部７０を介して受けた利用者からの操作力をデッドロッキングラッチボルト１０に伝達することによってデッドロッキングラッチボルト１０を移動させ出入口扉を開放する。図５は、コネクティングレバーの正面図である。コネクティングレバー６０は、金属性材料で形成された板状の部材であり、連結部６１の軸の周囲に設けられたバネ（不図示）により通常Ｒ３方向に付勢されている。また、コネクティングレバー６０は、デッドロッキングラッチボルト１０の軸部１１の端部に係合するように、窪んだ形状の係合部６３が形成されている。
【００５６】
また、コネクティングレバー６０は、ロッキングレバー５０がＲ２方向に回動して突起部５４からの押圧が解除されると、バネによる付勢力によりＲ３方向に回動する。この場合、突起部５１がデッドロッキングラッチボルト１０の内部方向（上方向）へ移動することで、デッドロッキングラッチボルト１０の軸部１１に空間が設けられる。そして、コネクティングレバー６０は、Ｒ３方向に回動することでその空間に入り、係合部６３が軸部１１の端部の位置にくるまで回動し、係合部６３がデッドロッキングラッチボルト１０の軸部１１に係合することになる。
【００５７】
一方、コネクティングレバー６０は、ロッキングレバー５０がＲ２方向と逆方向に回動して突起部５４により押圧されると、バネによる付勢力に対抗してＲ３方向と逆方向に回動する。この場合、突起部５１がデッドロッキングラッチボルト１０の外部方向（下方向）へ移動することで、デッドロッキングラッチボルト１０の軸部１１に設けられた空間が消滅していく。そして、コネクティングレバー６０は、Ｒ３方向と逆方向に回動することでその空間から押し出され、コネクティングレバー６０の全体がデッドロッキングラッチボルト１０の軸部１１から完全に出ることで、係合部６３とデッドロッキングラッチボルト１０の軸部１１との係合を解除する。なお、図２の錠前装置１００は、係合部６３とデッドロッキングラッチボルト１０との係合が解除された状態である。
【００５８】
コネクティングレバー６０は、係合部６３がデッドロッキングラッチボルト１０の軸部１１に係合することで、ハンドル部７０から受付けた利用者からの操作力をデッドロッキングラッチボルト１０に伝達して、デッドロッキングラッチボルト１０を移動させることで出入口扉を開放する。このようなコネクティングレバー６０とデッドロッキングラッチボルト１０とが係合している状態は、出入口扉の開放が可能な状態となるため、空締まり施錠状態となる。また、コネクティングレバー６０は、係合部６３とデッドロッキングラッチボルト１０の軸部１１との係合を解除することで、ハンドル部７０から受付けた利用者からの操作力をデッドロッキングラッチボルト１０に伝達不能にして、デッドロッキングラッチボルト１０を移動不能にさせることで、出入口扉を開放不能、つまり閉鎖したままにする。このようなコネクティングレバー６０とデッドロッキングラッチボルト１０との係合が解除された状態は、出入口扉の開放が不可能な状態となるため、本締まり施錠状態となる。
【００５９】
ハンドル部７０は、ハンドル受け部材７１とレバーハンドル（不図示）により構成されており、レバーハンドルは、ハンドル受け部材７１に設けられた正方形のレバーハンドル孔７２に差し込んで嵌合される。また、ハンドル受け部材７１には、レバーハンドル孔７２の周囲にバネ（不図示）が設けられており、バネの付勢力によりＲ４方向と逆方向に付勢されている。そして、空締まり施錠状態の出入口扉を開放するために、利用者からレバーハンドルをＲ４方向に回動する操作力（第１操作力）を受付けた場合、ハンドル部７０は、レバーハンドル孔７２を軸としてＲ４方向に回動する。また、出入口扉を開放した後、利用者がレバーハンドルから手を離すと、ハンドル部７０は、バネの付勢力によりＲ４方向と逆方向に回動し、図２の位置まで戻ることになる。
【００６０】
ラッチホールド８０は、出入口扉が開放された状態から閉鎖される場合において、デッドロッキングラッチボルト１０の先端部１２の先端の略三角柱形状の部分のみフロント１から突出させた状態にするために、Ｂ方向と逆方向に移動するデッドロッキングラッチボルト１０のストッパー１３を係止部８３に係止させることでその移動を止めるものであり、錠前機構２の枠部に固定された支点８１を軸にして回動可能となっている。また、ラッチホールド８０は、支点８１の周囲に設けられたバネ（不図示）により付勢されることでＲ５方向と逆方向に移動しており、図２ではトリガーヘッド８５に当接することでその移動が係止されている。ラッチホールド８０は、後述するコ字状部材８６がＣ方向へ移動することでその端部８７に押圧され、バネによる付勢力に対抗してＲ５方向に回動する。ラッチホールド８０は、Ｒ５方向に回動した場合に係止部８３によりデッドロッキングラッチボルト１０の移動を止める。なお、図２の錠前装置１００では、ラッチホールド８０がＲ５方向と逆方向に移動した状態である。
【００６１】
トリガーヘッド８５は、略三角柱形状の金属性材料で形成されており、出入口扉が開放されている際に、本締まり施錠状態にならないように、スライダー４０の移動を阻止するものである。トリガーヘッド８５のフロント１側と反対側の端部には、断面がコの字形状の金属性材料で形成されたコ字状部材８６が固定されている。トリガーヘッド８５は、コ字状部材８６側に設けられたバネ（不図示）により通常Ｃ方向に付勢されているが、出入口扉が閉鎖されている場合は、出入口の壁面により押圧されてＣ方向と逆方向に押圧されている。そして、トリガーヘッド８５は、出入口扉が開放されるとともに出入口の壁面からの押圧が解除されてＣ方向へ移動し、出入口扉が閉鎖されるとともに出入口の壁面に押圧されてＣ方向と逆方向に移動して、錠前機構２の内部に挿入される。コ字状部材８６の上面には、孔部が形成されており、出入口扉が閉鎖されている状態、すなわちトリガーヘッド８５が錠前機構２の内部に挿入されている場合に、その孔部をスライダー４０の掛止部４３が通過可能となっている。また、コ字状部材８６は、トリガーヘッド８５のＣ方向の移動に連動してＣ方向に移動した場合、端部８７がラッチホールド８０の突起８２をＣ方向に押圧する。なお、図２の錠前装置１００では、トリガーヘッド８５がＣ方向と逆方向に移動した状態である。
【００６２】
ソレノイド９０は、電磁石の一種で、電磁誘導の作用によって、電気的エネルギーを機械的エネルギーに変換するものである。ソレノイド９０は、ソレノイド本体９１と、鉄心９２とにより主に構成されている。そして、ソレノイド本体９１には、孔部が設けられており、その孔部に鉄心９２が挿入されている。鉄心９２の上部は、連結部５３によりロッキングレバー５０と回動可能に連結されている。
【００６３】
鉄心９２は、制御部５１０によりソレノイド９０が通電されると、孔部に挿入する方向、すなわち図２におけるＤ方向に移動していき、連結部５３をＤ方向へ移動させる。また、通電された後に予め定めた所定の時間が経過すると、制御部５１０によりソレノイド９０が非通電にされ、ソレノイド９０による鉄心９２のＤ方向への吸引力が解除されると、ロッキングレバー５０の支点５２の軸の周囲に設けられたバネ（不図示）の付勢力により鉄心９２はＤ方向と逆方向へ移動し、連結部５３をＤ方向と逆方向へ移動させる。
【００６４】
本実施の形態の錠前装置１００は、以上のような構成となっている。ここで、従来の錠前装置の構成と比較して本実施の形態の錠前装置１００の構成について説明する。従来の機械錠と電気錠とを備えた錠前装置では、機械的な解錠および電気的な解錠の双方ともに、常時施錠状態に復帰する機能を構造的に備える必要性から、出入口扉が開放されて閉鎖されるたびに施錠状態に復帰させていた。そうすると、出入口扉の開放・閉鎖によるデッドロッキングラッチボルトの移動と、機械的施解錠部と、電気的施解錠部とが全て連動する構成を取らざるを得ない。つまり、機械錠によってデッドロッキングラッチボルトを移動させて施解錠を行っている場合でも電気的施解錠部が連動し、逆に電気錠によってデッドロッキングラッチボルトを移動させて施解錠を行っている場合でも機械的施解錠部が連動する構成を取っており、例えば、機械的施解錠部と、電気的施解錠部と、デッドロッキングラッチボルトとを一連の略円形状に配置して全てを連動させる構成にしていた。従って、従来の錠前装置では、電気的施解錠部と機械的施解錠部とにおいて同じ動作をさせるために、例えば、電気的施解錠部と機械的施解錠部とを連結する連結部材等が別途必要となってしまい、錠前装置の部材が増加して複雑な構成になるとともに、高価で錠前装置自体が過大になっていた。
【００６５】
そこで、本実施の形態の錠前装置１００は、上述のように、機械的施解錠部を主体として監視領域の利用者が利用し、警備員等が電気的施解錠部を使用することが前提となっているため、機械的施解錠部により解錠した場合に常時施錠状態に復帰する機能を構成する必要がなく、機械的施解錠部の動作のみ、もしくは電気的施解錠部の動作のみで施解錠を行うことができる構成としている。すなわち、本実施の形態の錠前装置１００は、デッドロッキングラッチボルトの移動と、機械的施解錠部と、電気的施解錠部とが全て連動する構成を取っておらず、機械的施解錠部と電気的施解錠部とを連結する連結部材が不要となる代わりに、ロッキングレバー５０とコネクティングレバー６０とを機械的施解錠部（手動操作部３０）と電気的施解錠部（ソレノイド９０）のそれぞれから操作して錠前装置１００の施解錠を行うようにしている。具体的には、電気的施解錠部からの施解錠によりロッキングレバー５０が回動する際に、スライダー４０とロッキングレバー５０とを連結する突起部５１がスライダー４０を連動させずに移動可能となるようなスライダー４０の孔部４１を設けている。従って、錠前装置１００の部材を減少させ簡易な構成とすることができるとともに、安価で機械錠と電気錠とを備えた錠前自体を従来の機械錠と電気錠とを備えた錠前装置よりも小さく構成することが可能となる。
【００６６】
次に、錠前装置１００の動作について説明する。なお、手動操作部３０（機械的施解錠部）からの操作により、錠前装置１００を本締まり施錠状態または空締まり施錠状態にする場合を機械的施解錠とし、ソレノイド９０（電気的施解錠部）の通電・非通電により錠前装置１００を本締まり施錠状態または空締まり施錠状態にする場合を電気的施解錠とする。
【００６７】
まず、図２に示す本締まり施錠状態の錠前装置１００において、ハンドル部７０を操作した場合の動作について、図２および図６を参照して説明する。図６は、第１の実施の形態にかかる本締まり施錠状態の錠前装置においてハンドル部が操作された場合を示す図である。
【００６８】
図２に示す錠前装置１００は、本締まり施錠状態となっているため、コネクティングレバー６０とデッドロッキングラッチボルト１０の軸部１１とは係合が解除された状態で離れている。この状態において、レバーハンドル孔７２に嵌合しているレバーハンドルへの利用者からの操作力を受付けると、ハンドル部７０がＲ４方向に回動し、ハンドル部７０のハンドル受け部材７１と連結部６１で連結されているコネクティングレバー６０が移動して、図６の錠前装置１００の状態になる。つまり、図２の錠前装置１００の状態で、レバーハンドルへの利用者からの操作力を受付けても、コネクティングレバー６０がデッドロッキングラッチボルト１０の軸部１１に係合されていないため、ハンドル部７０およびコネクティングレバー６０は、デッドロッキングラッチボルト１０を移動させることなく空転してしまう。従って、錠前装置１００は、デッドロッキングラッチボルト１０が移動不能な状態であるため、空締まり施錠状態になることはなく、出入口扉は開放されない。なお、この場合のコネクティングレバー６０は、施解錠動作とは関係ないが、移動することによってロッキングレバー５０の突起部５４からの押圧が解除されるため、バネによりＲ３方向に多少回動する。
【００６９】
また、図６の錠前装置１００の状態において、利用者がレバーハンドルから手を離すと、バネによる付勢力によりハンドル部７０がＲ４方向と逆方向に回動し、ハンドル部７０と連結部６１で連結されているコネクティングレバー６０が移動して、図２の状態に戻る。
【００７０】
次に、図２に示す本締まり施錠状態の錠前装置１００から、手動操作部３０を操作することにより空締まり施錠状態にされた場合の動作（機械的解錠）について、図２および図７を参照して説明する。図７は、第１の実施の形態にかかる空締まり施錠状態の錠前装置を示す図である。
【００７１】
図２に示す本締まり施錠状態の錠前装置１００において、利用者から手動操作部３０をＲ１方向へ回動する操作力を受付けると、手動操作部３０に連動してサムターンハブ３１がＲ１方向へ回動する。そして、サムターンハブ３１が回動することでサムターンハブ３１がスライダー４０の傾斜部４２ａを上方に向かって押圧し、スライダー４０が上方向（Ａ方向）へ移動する。このとき、孔部４１の下部内壁面にロッキングレバー５０の突起部５１が当接しているので、突起部５１はこの下部内壁面によってスライダー４０の上方向の移動に伴って押圧され、従って、突起部５１の移動により、ロッキングレバー５０が支点５２周りのＲ２方向に回動する。ロッキングレバー５０がＲ２方向に回動すると、突起部５４がデッドロッキングラッチボルト１０の内部方向（上方向）へ移動し、コネクティングレバー６０への押圧を解除する。ロッキングレバー５０からの押圧が解除されると、コネクティングレバー６０は、バネ（付図示）の付勢力によりＲ３方向に回動し、係合部６３がデッドロッキングラッチボルト１０の軸部１１に係合して、図７に示すように、錠前装置１００が空締まり施錠状態になる。
【００７２】
次に、図７に示す空締まり施錠状態の錠前装置１００から、ハンドル部７０を操作することにより出入口扉が開放状態にされた場合の動作について、図７、図８および図９を参照して説明する。図８は、第１の実施の形態にかかる空締まり施錠状態の錠前装置においてハンドル部が操作された場合を示す図である。図９は、第１の実施の形態にかかる出入口扉開放状態の錠前装置を示す図である。
【００７３】
図７に示す錠前装置１００は、機械的解錠により空締まり施錠状態となっており、コネクティングレバー６０とデッドロッキングラッチボルト１０の軸部１１とが係合された状態となっている。この状態において、レバーハンドルへの利用者からの操作力を受付けると、ハンドル部７０がＲ４方向に回動し、ハンドル部７０とコネクティングレバー６０は連結部６１で連結されているため、コネクティングレバー６０がＢ方向に移動する。コネクティングレバー６０がＢ方向へ移動することで、軸部１１によって係合部６３に係合されているデッドロッキングラッチボルト１０がバネ１５の付勢力に対抗してＢ方向へ移動して、先端部１２が錠前機構２の内部に挿入されていく。そして、デッドロッキングラッチボルト１０の先端部１２が完全に錠前機構２の内部に挿入されるまで移動すると、図８に示すように、フロント１からデッドロッキングラッチボルト１０が突出されない状態になり、出入口扉の開放が可能となる。
【００７４】
図８に示す錠前装置１００において、出入口扉が開放される際、出入口の壁面からの押圧が解除されたトリガーヘッド８５がバネの付勢力によりＣ方向へ移動するとともに、トリガーヘッド８５に固定されているコ字状部材８６もＣ方向へ移動する。コ字状部材８６がＣ方向へ移動すると、端部８７がラッチホールド８０の突起８２をＣ方向に押圧して、ラッチホールド８０はＲ５方向に回動する。
【００７５】
そして、出入口扉が開放された後に利用者がレバーハンドルから手を離すと、ハンドル部７０はバネの付勢力によりＲ４方向と逆方向に回動し、ハンドル部７０と連結部６１で連結されているコネクティングレバー６０もＢ方向と逆方向に移動する。コネクティングレバー６０がＢ方向と逆方向に移動することによって、係合部６３に軸部１１で係合されてＢ方向へ移動していたデッドロッキングラッチボルト１０が、バネ１５の付勢力によりＢ方向と逆方向に移動する。
【００７６】
このとき、ハンドル部７０は、Ｒ４方向と逆方向に回動して、図７における空締まり施錠状態のハンドル部７０の位置まで戻るが、デッドロッキングラッチボルト１０は、図７における空締まり施錠状態まで戻らない。これは、デッドロッキングラッチボルト１０がバネ１５により付勢されてＢ方向と逆方向に移動している途中で、ストッパー１３がＲ５方向に回動したラッチホールド８０の係止部８３に当接することで係止され、図７における空締まり施錠状態におけるデッドロッキングラッチボルト１０の位置までは戻らず、図９のように、デッドロッキングラッチボルト１０の先端部１２の先端の略三角柱形状の部分のみフロント１から突出させた状態となる。これにより、レバーハンドルからの操作力を受付けなくとも、出入口扉が閉鎖される場合の出入口の壁面から略三角柱形状の部分への押圧力により、デッドロッキングラッチボルト１０が一旦錠前機構２に挿入されて出入口扉が閉鎖されることになる。
【００７７】
また、出入口扉が閉鎖される際、出入口の壁面から押圧されてトリガーヘッド８５がバネの付勢力に対抗してＣ方向と逆方向へ移動するとともに、トリガーヘッド８５に固定されているコ字状部材８６もＣ方向と逆方向へ移動する。コ字状部材８６がＣ方向と逆方向へ移動すると、端部８７によるラッチホールド８０の突起８２へのＣ方向の押圧が解除されて、ラッチホールド８０はバネの付勢力によりＲ５方向と逆方向に回動する。そして、出入口の壁面からの押圧力により一旦錠前機構２に挿入されたデッドロッキングラッチボルト１０は、バネ１５の付勢力によりＢ方向と逆方向に移動して、ラッチホールド８０がＲ５方向と逆方向へ回動したためにストッパー１３が係止部８３に係止されることなく、出入口の壁面に先端部１２が挿入されて空締まり施錠状態となる（図７参照）。
【００７８】
次に、図７に示す空締まり施錠状態の錠前装置１００から、手動操作部３０を操作することにより本締まり施錠状態にされた場合の動作（機械的施錠）について、図７および図２を参照して説明する。
【００７９】
図７に示す空締まり施錠状態の錠前装置１００において、利用者から手動操作部３０をＲ１方向と逆方向へ回動する操作力を受付けると、手動操作部３０に連動してサムターンハブ３１がＲ１方向と逆方向へ回動する。そして、サムターンハブ３１が回動することでサムターンハブ３１がスライダー４０の傾斜部４２ｂを下方に向かって押圧し、スライダー４０がＡ方向と逆方向である下方向へ移動する。スライダー４０が下方向へ移動すると、孔部４１に連結されているロッキングレバー５０の突起部５１が孔部４１の下部内壁面からの押圧（当接しなくなり）を解除され、ロッキングレバー５０がバネの付勢力によりＲ２方向と逆方向に回動する。ロッキングレバー５０がＲ２方向と逆方向に回動すると、突起部５４がデッドロッキングラッチボルト１０の外部方向（下方向）へ移動し、コネクティングレバー６０を押圧する。ロッキングレバー５０から押圧されると、コネクティングレバー６０は、バネの付勢力に対抗してＲ３方向と逆方向に回動し、係合部６３がデッドロッキングラッチボルト１０の軸部１１への係合を解除して、図２に示すように、錠前装置１００が本締まり施錠状態になる。
【００８０】
このように、手動操作部３０からの操作による機械的施解錠においては、錠前装置１００を本締まり施錠状態から空締まり施錠状態にして、出入口扉を一旦開放した後、閉鎖した場合でも空締まり施錠状態には戻るが、本締まり施錠状態には戻らない。すなわち、空締まり施錠状態から本締まり施錠状態にする場合は、手動操作部３０からの操作を行うことで本締まり施錠状態にしなければならない。
【００８１】
次に、図２に示す本締まり施錠状態の錠前装置１００から、ソレノイド９０を通電することにより空締まり施錠状態にされた場合の動作（電気的解錠）について、図１、図２および図１０を参照して説明する。図１０は、第１の実施の形態にかかる空締まり施錠状態の錠前装置を示す図である。
【００８２】
通電によって錠前装置１００を解錠する場合とは、例えば、監視領域に異常が発生し、異常検知情報の通報を受けた監視センタが待機中の警備員をその監視領域へ向かわせた場合である。そして、その監視領域に設置された出入口扉の鍵を所持していない警備員が駆けつけた場合、警備員は、出入口扉付近に設置された操作部５０１に警備員の利用者ＩＤを入力する。操作部５０１が利用者ＩＤを受付けると、制御部５１０は、受付けた利用者ＩＤが、記憶部等に予め定められた利用者ＩＤか否かを照合することで利用者認証を行い、その利用者認証が成功した場合に、ソレノイド９０を通電する。
【００８３】
図２に示す本締まり施錠状態の錠前装置１００において、ソレノイド９０が通電されると、鉄心９２がＤ方向へ移動する。鉄心９２がＤ方向へ移動すると、鉄心９２に連結されている連結部５３がＤ方向に引っ張られてロッキングレバー５０がＲ２方向に回動する。ロッキングレバー５０がＲ２方向に回動すると、突起部５４がデッドロッキングラッチボルト１０の内部方向（上方向）へ移動し、コネクティングレバー６０への押圧を解除する。ロッキングレバー５０からの押圧が解除されると、コネクティングレバー６０は、バネの付勢力によりＲ３方向に回動し、係合部６３がデッドロッキングラッチボルト１０の軸部１１に係合して、図１０に示すように、錠前装置１００が空締まり施錠状態になる。ここで、突起部５１は、スライダー４０の孔部４１の下部内壁面に当接した状態となっているので、ソレノイド９０を通電することによりロッキングレバー５０がＲ２方向に回動した場合、突起部５１は孔部４１の下部内壁面に当接しなくなり孔部４１内を上方向に移動する。このため、ロッキングレバー５０のＲ２方向への回動にスライダー４０が連動して上方向に移動することはなく、図２および図１０に示すように、スライダー４０は本締まり施錠状態においても空締まり施錠状態においても同じ位置を維持する。
【００８４】
次に、図１０に示す空締まり施錠状態の錠前装置１００から、ハンドル部７０を操作することにより出入口扉が開放状態にされた場合の動作について、図１０、図１１および図１２を参照して説明する。図１１は、第１の実施の形態にかかる空締まり施錠状態の錠前装置においてハンドル部が操作された場合を示す図である。図１２は、第１の実施の形態にかかる出入口扉開放状態の錠前装置を示す図である。
【００８５】
図１０に示す錠前装置１００は、電気的解錠により空締まり施錠状態となっており、コネクティングレバー６０とデッドロッキングラッチボルト１０の軸部１１とが係合された状態となっている。この状態における出入口扉の開放は、機械的解錠による空締まり施錠状態における出入口扉の開放と同様である。すなわち、レバーハンドルへの利用者からの操作力を受付けると、ハンドル部７０がＲ４方向に回動し、コネクティングレバー６０がＢ方向に移動し、デッドロッキングラッチボルト１０もＢ方向へ移動して、先端部１２が錠前機構２の内部に挿入されていく。そして、デッドロッキングラッチボルト１０の先端部１２が完全に錠前機構２の内部に挿入されるまで移動すると、図１１に示すように、フロント１からデッドロッキングラッチボルト１０が突出されない状態になり、出入口扉の開放が可能となる。
【００８６】
図１１に示す錠前装置１００において、出入口扉が開放される際、トリガーヘッド８５がＣ方向へ移動するとともに、コ字状部材８６もＣ方向へ移動し、端部８７がラッチホールド８０の突起８２をＣ方向に押圧してラッチホールド８０はＲ５方向に回動する。そして、出入口扉が開放された後に利用者がレバーハンドルから手を離すと、ハンドル部７０がＲ４方向と逆方向に回動し、コネクティングレバー６０がＢ方向と逆方向に移動し、デッドロッキングラッチボルト１０がＢ方向と逆方向に移動する。
【００８７】
そして、機械的解錠における出入口扉の開放時と同様に、ハンドル部７０は、図１０における空締まり施錠状態のハンドル部７０の位置まで戻るが、デッドロッキングラッチボルト１０は、ストッパー１３がラッチホールド８０の係止部８３に当接することで係止されるため、図１０における空締まり施錠状態まで戻らず、図１２のように、デッドロッキングラッチボルト１０の先端部１２の先端の略三角柱形状の部分のみフロント１から突出させた状態となる。
【００８８】
また、出入口扉が閉鎖される際も機械的解錠における出入口扉の閉鎖時と同様に、トリガーヘッド８５がＣ方向と逆方向へ移動するとともに、コ字状部材８６もＣ方向と逆方向へ移動し、端部８７によるラッチホールド８０の突起８２へのＣ方向の押圧が解除されて、ラッチホールド８０はＲ５方向と逆方向に回動する。そして、一旦錠前機構２に挿入されたデッドロッキングラッチボルト１０は、Ｂ方向と逆方向に移動して出入口の壁面に先端部１２が挿入されて空締まり施錠状態となる（図１０参照）。
【００８９】
次に、図１０に示す空締まり施錠状態の錠前装置１００から、ソレノイド９０を非通電にすることにより本締まり施錠状態にされた場合の動作（電気的施錠）について、図１０および図２を参照して説明する。
【００９０】
図１０に示す空締まり施錠状態の錠前装置１００において、ソレノイド９０は、通電された後に予め定められた所定の時間が経過すると、ソレノイド９０が非通電にされ、ソレノイド９０による鉄心９２のＤ方向への吸引力が解除されると、ロッキングレバー５０の支点５２の軸の周囲に設けられたバネ（不図示）の付勢力により鉄心９２はＤ方向と逆方向へ移動し、ロッキングレバー５０がバネの付勢力によりＲ２方向と逆方向に回動する。ロッキングレバー５０がＲ２方向と逆方向に回動すると、突起部５４がデッドロッキングラッチボルト１０の外部方向（下方向）へ移動し、コネクティングレバー６０を押圧する。ロッキングレバー５０から押圧されると、コネクティングレバー６０は、バネの付勢力に対抗してＲ３方向と逆方向に回動し、係合部６３がデッドロッキングラッチボルト１０の軸部１１への係合を解除して、図２に示すように、錠前装置１００が本締まり施錠状態になる。
【００９１】
このように、ソレノイド９０が非通電にされることによる電気的施錠においては、予め定められた所定の時間が経過すると、利用者が改めて別の操作を行なわなくても、錠前装置１００を空締まり施錠状態から本締まり施錠状態に戻ることになる。すなわち、本締まり施錠状態において空締まり施錠状態にする操作を行うだけで、空締まり施錠状態になってから本締まり施錠状態に戻ることになる。
【００９２】
なお、錠前装置１００は、電気的解錠により空締まり施錠状態にされ、レバーハンドルを操作されることによって出入口扉が開放されている場合に、上述した予め定められた所定の時間が経過した場合でも、ソレノイド９０は非通電にされて、ロッキングレバー５０はＲ２方向と逆方向に回動しようとする。この場合、ロッキングレバー５０のＲ２方向と逆方向への回動は、デッドロッキングラッチボルト１０の先端部１２に当接することにより一旦阻止される。そして、出入口扉が閉鎖されて、出入口の壁面にデッドロッキングラッチボルト１０の先端部１２が挿入されて空締まり施錠状態となったときに、一旦阻止されていたロッキングレバー５０がＲ２方向と逆方向へ回動することで、上述のように、錠前装置１００は本締まり施錠状態になる。
【００９３】
以上のように、本実施の形態にかかる錠前装置１００は、警備員等の利用者が、事前に監視領域の出入口扉を解錠する鍵を受領しなくても、操作部５０１に利用者ＩＤを入力することのみで出入口扉の施解錠を行うことができ、出入口扉の鍵の保管場所の確保および管理の負担を軽減するとともに、出入口扉の鍵を挿入するシリンダやサムターン等の加工等のメンテナンス作業が不要となる。また、デッドロッキングラッチボルト１０の移動と、手動操作部３０による施解錠と、ソレノイド９０による施解錠とが全て連動する構成を取る必要性はなく、錠前装置１００の部材を減少させ簡易な構成とすることができるとともに、安価で機械錠と電気錠とを備えた錠前自体を従来の機械錠と電気錠とを備えた錠前装置よりも小さく構成することが可能となり、従来の錠前装置から錠前装置１００に交換する際に出入口扉の加工作業が不要となる。
【００９４】
また、外部給電部５２０から制御部５１０に電力を供給することができるため、停電時など電力が供給できない場合であっても出入口扉の施解錠を行うことができる。さらに、デッドロッキングラッチボルト１０が、本締まり施錠と空締まり施錠を行うことができるため、両施錠を別個のボルトで行う必要がなく、錠前装置１００の構成を簡潔にできる。また、手動操作部３０には、利用者により操作されたシリンダまたはサムターンに連動して回動してスライダー４０を押圧するサムターンハブ３１が設けられているため、操作部５０１からの操作による電力を使用した電気的な施解錠とは関係なく、サムターンハブ３１による操作によって機械的な出入口扉の施解錠を行うことができる。
【００９５】
（第２の実施の形態）
第１の実施の形態にかかる錠前装置は、電気的解錠において、操作部から受付けた利用者ＩＤの認証が成功した場合に、ソレノイドを通電して錠前装置の解錠を行うものであったが、本実施の形態では、操作部から受付けた利用者ＩＤの認証が成功し、かつ警備装置の動作を決定する警備モードの設定に連動して、錠前装置の解錠を行うものである。
【００９６】
図１３は、第２の実施の形態にかかる錠前装置の構成を示す説明図である。図１３に示すように、本実施の形態にかかる錠前装置２００は、警備装置６００と接続されており、出入口扉に設置されたフロント１および錠前機構３と、警備モード操作部６１０と、外部給電部６２０とから主に構成されており、錠前機構３の内部は、デッドロッキングラッチボルト１０と、手動操作部３０と、スライダー４０と、ロッキングレバー５０と、コネクティングレバー６０と、ハンドル部７０と、ラッチホールド８０と、トリガーヘッド８５と、ソレノイド９０とを主に備えている。ここで、フロント１と、デッドロッキングラッチボルト１０と、手動操作部３０と、スライダー４０と、ロッキングレバー５０と、コネクティングレバー６０と、ハンドル部７０と、ラッチホールド８０と、トリガーヘッド８５と、ソレノイド９０とは、第１の実施の形態にかかる錠前装置と同様であるため、説明を省略する。
【００９７】
警備装置６００は、出入口扉が設置されている監視領域を監視（警備）するものであり、警備モードが警備状態に設定されている場合に監視領域において異常が発生した場合は、通報先である監視センタへ異常を検知した旨の異常検知情報の通報をするものである。また、警備装置６００は、警備モードが警備解除状態に設定されている場合に監視領域において異常が発生した場合には、監視センタへの異常検知情報の通報は行わない。そして、監視センタは、監視領域の警備装置から異常検知情報の通報を受信すると、待機中の警備員に対して異常が検知された監視領域へ向かう旨の指示を出すとともに、必要に応じて警察や消防など関係機関への通報を行うことになる。なお、本実施の形態では、錠前装置２００は警備装置と有線で接続されているが、無線通信により接続された構成としてもよい。
【００９８】
ここで、警備モードとは、監視領域に設置されている各種センサにより窓や扉の開放あるいは人の存在等を検知した際の監視センタへの通報の要否、または、監視領域内への報知の要否など、各種センサの検知動作時の警備装置６００の動作を決定するモードである。警備モードには、通報の要否や通報先、監視領域内への報知の要否などによって複数のモードが存在する。代表的な警備モードとしては、各種センサが検知動作を行った場合、例えば、監視領域の異常を監視し、監視領域内への人の入室を検出した場合に、所定の通報先である監視センタに異常検知情報を通報する警備状態と、各種センサが検知動作を行った場合に、監視センタに異常検知情報を通報しない警備解除状態が存在し、警備装置６００は、後述する警備モード操作部６１０からの受付けた入力操作に応じて警備モードを設定される。
【００９９】
警備モード操作部６１０は、第１の実施の形態における操作部と同様、出入口扉付近の監視領域外に設置され、警備員等の利用者に固有の利用者ＩＤの入力を受付けるものである。さらに、警備モード操作部６１０は、警備装置６００に設定される警備モードとして、警備状態または警備解除状態の設定を受付けるものである。また、警備モード操作部６１０には、制御部６１１が備えられている。
【０１００】
制御部６１１は、ソレノイド９０に対する通電を制御するものである。すなわち、制御部６１１は、警備モード操作部６１０によって受付けた利用者ＩＤが、記憶部（不図示）等に予め定められた利用者ＩＤか否かを照合することによって利用者認証を行い、その利用者認証が成功し、警備モード操作部６１０により警備解除状態の設定を受付けた場合、ソレノイド９０を通電し、予め定められた所定の時間が経過したらソレノイド９０を非通電にする。また、制御部６１１は、汎用の電源と接続されており、通常時は、かかる汎用の電源から監視領域等に供給される電力等を警備モード操作部６１０やソレノイド９０等に供給するが、例えば、停電時等により電力が供給できない場合には、制御部６１１は、外部給電部６２０によって供給された電力を警備モード操作部６１０に供給し、警備モード操作部６１０から受付けた利用者ＩＤの利用者認証が成功し、警備解除状態の設定を受付けた場合、外部給電部６２０によって供給された電力をソレノイド９０に供給して通電する。
【０１０１】
外部給電部６２０は、警備モード操作部６１０における制御部６１１に対して独立して電力を供給できるものであり、例えば、電池等が該当する。停電時等により制御部６１１に汎用の電源からの電力供給をうけられない場合には、制御部６１１には外部給電部６２０からの電力が供給され、これにより停電時にもソレノイド９０に対する通電および非通電の制御が可能となる。
【０１０２】
次に、以上のような構成の錠前装置２００の動作について第１の実施の形態と異なる点について説明する。錠前装置２００における機械的施解錠については、第１の実施の形態と同様であるため説明を省略する。図１３に示す本締まり施錠状態の錠前装置２００から、ソレノイド９０を通電することにより空締まり施錠状態にされた場合（電気的解錠）について説明する。
【０１０３】
通電によって錠前装置２００を解錠する場合とは、例えば、監視領域に異常が発生し、異常検知情報の通報を受けた監視センタが待機中の警備員をその監視領域へ向かわせた場合である。そして、その監視領域に設置された出入口扉の鍵を所持していない警備員が駆けつけた場合、警備員は、出入口扉付近に設置された警備モード操作部６１０に警備員の利用者ＩＤを入力し、警備解除状態の設定の入力をする。警備モード操作部６１０が、利用者ＩＤと警備解除状態の設定の入力を受付けると、制御部６１１は、受付けた利用者ＩＤが、記憶部等に予め定められた利用者ＩＤか否かを照合することで利用者認証を行い、その利用者認証が成功した場合に、ソレノイド９０を通電する。ソレノイド９０が通電された後の錠前装置２００の動作については、第１の実施の形態と同様であるため、説明を省略する。
【０１０４】
以上のように、第２の実施の形態にかかる錠前装置２００は、警備員等の利用者が、事前に監視領域の出入口扉を解錠する鍵を受領しなくても、警備モード操作部６１０に利用者ＩＤを入力することのみで出入口扉の施解錠を行うことができ、出入口扉の鍵の保管場所の確保および管理の負担を軽減するとともに、出入口扉の鍵を挿入するシリンダやサムターン等の加工等のメンテナンス作業が不要となる。また、デッドロッキングラッチボルト１０の移動と、手動操作部３０による施解錠と、ソレノイド９０による施解錠とが全て連動する構成を取る必要性はなく、錠前装置２００の部材を減少させ簡易な構成とすることができるとともに、安価で機械錠と電気錠とを備えた錠前自体を従来の機械錠と電気錠とを備えた錠前装置よりも小さく構成することが可能となり、従来の錠前装置から錠前装置２００に交換する際に出入口扉の加工作業が不要となる。
【０１０５】
また、外部給電部６２０から制御部６１１に電力を供給することができるため、停電時など電力が供給できない場合であっても出入口扉の施解錠を行うことができる。さらに、デッドロッキングラッチボルト１０が、本締まり施錠と空締まり施錠を行うことができるため、両施錠を別個のボルトで行う必要がなく、錠前装置２００の構成を簡潔にできる。また、手動操作部３０には、利用者により操作されたシリンダまたはサムターンに連動して回動することによってスライダー４０を押圧するサムターンハブ３１が設けられているため、警備モード操作部６１０からの操作による電力を使用した電気的な施解錠とは関係なく、サムターンハブ３１による操作によって機械的な出入口扉の施解錠を行うことができる。また、警備モード操作部６１０により警備解除状態の設定を受付けた場合に出入口扉の解錠を行うことができるため、誤った異常検知情報が通報されることがない。
【０１０６】
なお、第１および第２の実施の形態の錠前装置１００、２００では、監視領域に異常が発生した場合に、出入口扉の鍵を所持しない警備員等の利用者による解錠動作であるが、監視領域の住人等の利用者が不在の場合に、警備装置の点検にきた警備員等が出入口扉の解錠を行う場合も、同様の解錠動作を行うことができる。
【０１０７】
また、第１および第２の実施の形態の錠前装置１００、２００では、いずれも外部給電部を有しているが、外部給電部を有さない構成としてもよい。また、第１および第２の実施の形態の錠前装置１００、２００では、通常時は、汎用の電源から電力供給を受け、停電時等では、外部給電部から電力供給を受ける構成としているが、常時外部給電部から電力供給を受ける構成としてもよい。
【０１０８】
また、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。あるいは、異なる実施の形態にわたる構成要素を適宜組み合わせても良い。さらに、第１および第２の実施の形態の錠前装置１００、２００では、監視領域に異常が発生した場合に、出入口扉の鍵を所持しない警備員等の利用者による解錠動作を実施する目的の場合を示したが、本発明を簡易電気錠として、一般の電気錠と同様に出入管理用途等に利用しても良い。
【図面の簡単な説明】
【０１０９】
【図１】第１の実施の形態にかかる錠前装置の構成を示す説明図である。
【図２】第１の実施の形態にかかる錠前装置の詳細を示す説明図である。
【図３−１】スライダーの正面図である。
【図３−２】図３−１におけるＶ１側から見たスライダーの側面図である。
【図４−１】ロッキングレバーの正面図である。
【図４−２】図４−１におけるＶ２側から見たロッキングレバーの側面図である。
【図４−３】ロッキングレバーの上面図である。
【図４−４】ロッキングレバーの底面図である。
【図５】コネクティングレバーの正面図である。
【図６】第１の実施の形態にかかる本締まり施錠状態の錠前装置においてハンドル部が操作された場合を示す図である。
【図７】第１の実施の形態にかかる空締まり施錠状態の錠前装置を示す図である。
【図８】第１の実施の形態にかかる空締まり施錠状態の錠前装置においてハンドル部が操作された場合を示す図である。
【図９】第１の実施の形態にかかる出入口扉開放状態の錠前装置を示す図である。
【図１０】第１の実施の形態にかかる空締まり施錠状態の錠前装置を示す図である。
【図１１】第１の実施の形態にかかる空締まり施錠状態の錠前装置においてハンドル部が操作された場合を示す図である。
【図１２】第１の実施の形態にかかる出入口扉開放状態の錠前装置を示す図である。
【図１３】第２の実施の形態にかかる錠前装置の構成を示す説明図である。
【符号の説明】
【０１１０】
１００、２００  錠前装置
１  フロント
２、３  錠前機構
１０  デッドロッキングラッチボルト
１１  軸部
１２  先端部
１３  ストッパー
１４  鉄心
１５  バネ
３０  手動操作部
３１  サムターンハブ
４０  スライダー
４１  孔部
４２ａ、４２ｂ  傾斜部
４２  切欠き部
４３  掛止部
４４、４５  部位
５０  ロッキングレバー
５１  突起部
５２  支点
５３  連結部
５４  突起部
６０  コネクティングレバー
６１  連結部
６３  係合部
７０  ハンドル部
７１  部材
７２  レバーハンドル孔
８０  ラッチホールド
８１  支点
８２  突起
８３  係止部
８５  トリガーヘッド
８６  部材
８７  端部
９０  ソレノイド
９１  ソレノイド本体
９２  鉄心
５００、６００  警備装置
５０１  操作部
５１０、６１１  制御部
５２０、６２０  外部給電部
６１０  警備モード操作部
【図１】
2008150866.tif 000003
【図２】
2008150866.tif 000004
【図３−１】
2008150866.tif 000005
【図３−２】
2008150866.tif 000006
【図４−１】
2008150866.tif 000007
【図４−２】
2008150866.tif 000008
【図４−３】
2008150866.tif 000009
【図４−４】
2008150866.tif 000010
【図５】
2008150866.tif 000011
【図６】
2008150866.tif 000012
【図７】
2008150866.tif 000013
【図８】
2008150866.tif 000014
【図９】
2008150866.tif 000015
【図１０】
2008150866.tif 000016
【図１１】
2008150866.tif 000017
【図１２】
2008150866.tif 000018
【図１３】
2008150866.tif 000019